(57)【要約】【課題】子供の数人が内部に入って遊戯できるほか、外部からボールを使った各種ゲームも楽しめるようにする。【解決手段】合成繊維膜材に縁取り保形芯環（１１）が各々封入された第１〜４壁面（Ａ１）〜（Ａ４）と、同じく合成繊維膜材の床面（Ｂ）並びに合成繊維網材の天井面（Ｃ）とから立方体に造形された遊戯ハウス本体（１０）と；  上記第１〜４壁面の各面と同じ大きさの正方形として、やはり合成繊維膜材に縁取り保形芯環（１８）が各々封入された別個な第１〜３脚座面（ａ１）〜（ａ３）とを備え、上記ハウス本体の第１壁面に子供の出入り口（１３）を設ける一方、ハウス本体における第２〜４壁面の下辺（１７）へ、上記第１〜３脚座面の１辺（２１）を各々起伏的な回動自在に枢支連結すると共に、その第２〜４壁面の表面と第１〜３脚座面の裏面へ、結束紐や面ファスナーなどの着脱操作可能な止着具（１５）（２４）を対応的に取り付けた。【選択図】図３
0003135023.tif 000002
【実用新案登録請求の範囲】
【請求項１】
ポリエステルやナイロンなどの柔軟な合成繊維膜材に縁取り保形芯環（１１）が各々封入された第１〜４壁面（Ａ１）（Ａ２）（Ａ３）（Ａ４）と、同じ合成繊維膜材の床面（Ｂ）並びに内部を透視できる合成繊維網材の天井面（Ｃ）とから、全体的な一連の立方体に造形された遊戯ハウス本体（１０）と、
上記第１〜４壁面（Ａ１）（Ａ２）（Ａ３）（Ａ４）の各面とほぼ同じ大きさの正方形として、やはり合成繊維膜材に縁取り保形芯環（１８）が各々封入された別な第１〜３脚座面（ａ１）（ａ２）（ａ３）の少なくとも３個とを備え、
上記ハウス本体（１０）の任意な第１壁面（Ａ１）に子供用出入り口（１３）を設ける一方、
上記ハウス本体（１０）における少なくとも第２〜４壁面（Ａ２）（Ａ３）（Ａ４）の下辺（１７）へ、上記第１〜３脚座面（ａ１）（ａ２）（ａ３）の１辺（２１）を各々起伏的な回動自在に枢支連結すると共に、
その第２〜４壁面（Ａ２）（Ａ３）（Ａ４）と第１〜３脚座面（ａ１）（ａ２）（ａ３）とが各々向かい合う表裏両面へ、結束紐や面ファスナー、ハトメホックなどの着脱操作可能な止着具（１５）（２４）を対応的に取り付けて、
その止着具（１５）（２４）を着脱操作することにより、上記第１〜３脚座面（ａ１）（ａ２）（ａ３）がハウス本体（１０）の第２〜４壁面（Ａ２）（Ａ３）（Ａ４）へ各々重合する起立姿勢の折りたたみ使用状態と、同じくハウス本体（１０）の第２〜４壁面（Ａ２）（Ａ３）（Ａ４）から各々張り出し展開する水平姿勢の接地使用状態とを得られるように定めたことを特徴とするテント風の屋内用遊戯ハウス。
【請求項２】
遊戯ハウス本体（１０）の第１〜４壁面（Ａ１）（Ａ２）（Ａ３）（Ａ４）に各々封入された縁取り保形芯環（１１）と、少なくとも３個の第１〜３脚座面（ａ１）（ａ２）（ａ３）に各々封入された縁取り保形芯環（１８）とを、その悉く同じ弾性変形可能な細いバネ鋼帯又はバネ鋼線から４隅部が円弧状に弯曲する正方形として、上記ハウス本体（１０）を角面取りされた状態のサイコロ型に造形し、
そのハウス本体（１０）の第２〜４壁面（Ａ２）（Ａ３）（Ａ４）へ第１〜３脚座面（ａ１）（ａ２）（ａ３）を重合する起立姿勢に折りたたんだ使用状態から、上記縁取り保形芯環（１１）（１８）を一旦正方形での悉く整列する重合状態に扁平化した上、
その正方形の対角線上に位置する角隅部（Ｘ）を両手により把持して、先ずほぼ８字型に捻り変形させた後、引き続き互いに押し込み重合させることにより、
上記ハウス本体（１０）と第１〜３脚座面（ａ１）（ａ２）（ａ３）との全体を、その各面の正方形が三重の円形として整列した小型扁平に折りたたみ格納できるように定めたことを特徴とする請求項１記載のテント風の屋内用遊戯ハウス。
【請求項３】
柔軟な合成繊維網材又は合成繊維膜材から成る筋交用連結帯（２６）の平行な一対づつを、遊戯ハウス本体（１０）における第２〜４壁面（Ａ２）（Ａ３）（Ａ４）の左右両側辺（２７）から各々表向き一体的に張り出し延長させる共に、
その連結帯（２６）の延長先端部を上記左右両側辺（２７）と向かい合い対応位置する第１〜３脚座面（ａ１）（ａ２）（ａ３）の左右両側辺（２８）へ、結束紐や面ファスナー、ハトメホックなどの着脱操作可能な止着具（２９）（３０）によって、各々止着したことを特徴とする請求項１記載のテント風の屋内用遊戯ハウス。
【請求項４】
遊戯ハウス本体（１０）における第１〜４壁面（Ａ１）（Ａ２）（Ａ３）（Ａ４）の表面へ、互いに異なる遊戯内容を示す標章（３１）（３７）（４１）（４６）を各々印刷する一方、
その少なくとも第２〜４壁面（Ａ２）（Ａ３）（Ａ４）と対応位置する第１〜３脚座面（ａ１）（ａ２）（ａ３）の表裏両面に、上記遊戯内容と同じ遊戯内容を示す標章（３８）（３９）（４２）（４３）（４７）（４８）を各々印刷することにより、
上記ハウス本体（１０）の第２〜４壁面（Ａ２）（Ａ３）（Ａ４）から第１〜３脚座面（ａ１）（ａ２）（ａ３）を各々張り出し展開する水平姿勢の接地使用状態に保った時、その第１〜３脚座面（ａ１）（ａ２）（ａ３）における裏面の標章（３９）（４３）（４８）と上記第２〜４壁面（Ａ２）（Ａ３）（Ａ４）における表面の標章（３７）（４１）（４６）とを、各々同じ遊戯内容のそれとして一連に通覧できるように定めたことを特徴とする請求項１記載のテント風の屋内用遊戯ハウス。
【請求項５】
遊戯ハウス本体（１０）の第１壁面（Ａ１）に印刷する遊戯内容の標章（３１）をバスケットボールゲームのそれとして、そのゲームの投球バスケット（３２）を上記第１壁面（Ａ１）の上辺（３３）から吊り下げ、
上記ハウス本体（１０）の第２壁面（Ａ２）と第１脚座面（ａ１）に各々印刷する同じ遊戯内容の標章（３７）（３８）（３９）をベースボールゲームのそれとして、そのゲームの投球ストライクゾーン（４０）を上記第２壁面（Ａ２）にカラー印刷し、
上記ハウス本体（１０）の第３壁面（Ａ３）と第２脚座面（ａ２）に各々印刷する同じ遊戯内容の標章（４１）（４２）（４３）をサッカーゲームのそれとして、そのゲームの蹴球ゴール（４４）を上記第３壁面（Ａ３）に開口形成すると共に、
上記ハウス本体（１０）の第４壁面（Ａ４）と第３脚座面（ａ３）に各々印刷する同じ遊戯内容の標章（４６）（４７）（４８）をゴルフゲームのそれとして、そのゲームの打球ホール（４９）を上記第４壁面（Ａ４）に開口形成したことを特徴とする請求項４記載のテント風の屋内用遊戯ハウス。
【請求項６】
遊戯ハウス本体（１０）の第１壁面（Ａ１）へ、その子供用出入り口（１３）の庇となる垂れ幕（１４）を取り付け、
同じく第１壁面（Ａ１）の上辺（３３）から吊り下げられた投球バスケット（３２）を、結束紐や面ファスナー、ハトメホックなどの着脱操作可能な止着具（３５）（３６）によって上記第１壁面（Ａ１）へ、その開口面が水平状態となるように止着すると共に、
上記ハウス本体（１０）の第３壁面（Ａ３）へ、その蹴球ゴール（４４）の暖簾となる垂れ幕（４５）を取り付けたことを特徴とする請求項５記載のテント風の屋内用遊戯ハウス。
【考案の詳細な説明】
【技術分野】
【０００１】
本考案は軽量なテント風の屋内用遊戯ハウスに係り、殊更子供の数人が内部に入って遊戯できるほか、外部からボールを使用した各種ゲームも楽しく行なえるように工夫したものである。
【背景技術】
【０００２】
不使用時には小型扁平に折りたたみ格納できるテント風の屋内用遊戯ハウスとして、特開平８−５７１６４号が提案されており、これが本考案に最も近似する公知技術であると考えられる。
【特許文献１】特開平８−５７１６４号公報
【考案の開示】
【考案が解決しようとする課題】
【０００３】
ところが、この公知発明の構成では２枚の側面パネル（２）と底面シート（３）並びに前後端シート（４）とから、屋根の先鋭な三角筒型に造形・立体化されているため、その使用中に転倒し難い利点がある反面、底面シート（３）の大きさを一定とした場合、２枚の側面パネル（２）が傾斜している分だけ、その内部空間が著しく狭小となり、子供の数人が自由に動いて遊び難く、大きな制限を受けるのである。
【０００４】
又、一方の側面パネル（２）と前後端シート（４）との合計３面に、子供が通れる開口部（７）（８）を設けたにとどまる構成のため、トンネルとして出入りする単調な遊戯しか行なえず、子供が早期に飽きてしまうのであり、遊戯上の興趣変化や永く使える商品価値に乏しい。
【課題を解決するための手段】
【０００５】
本考案はこのような課題の抜本的な解決を目的としており、その目的を達成するために、請求項１ではポリエステルやナイロンなどの柔軟な合成繊維膜材に縁取り保形芯環が各々封入された第１〜４壁面と、同じ合成繊維膜材の床面並びに内部を透視できる合成繊維網材の天井面とから、全体的な一連の立方体に造形された遊戯ハウス本体と、
【０００６】
上記第１〜４壁面の各面とほぼ同じ大きさの正方形として、やはり合成繊維膜材に縁取り保形芯環が各々封入された別な第１〜３脚座面の少なくとも３個とを備え、
【０００７】
上記ハウス本体の任意な第１壁面に子供用出入り口を設ける一方、
【０００８】
上記ハウス本体における少なくとも第２〜４壁面の下辺へ、上記第１〜３脚座面の１辺を各々起伏的な回動自在に枢支連結すると共に、
【０００９】
その第２〜４壁面と第１〜３脚座面とが各々向かい合う表裏両面へ、結束紐や面ファスナー、ハトメホックなどの着脱操作可能な止着具を対応的に取り付けて、
【００１０】
その止着具を着脱操作することにより、上記第１〜３脚座面がハウス本体の第２〜４壁面へ各々重合する起立姿勢の折りたたみ使用状態と、同じくハウス本体の第２〜４壁面から各々張り出し展開する水平姿勢の接地使用状態とを得られるように定めたことを特徴とする。
【００１１】
又、請求項２では上記請求項１に従属する構成として、遊戯ハウス本体の第１〜４壁面に各々封入された縁取り保形芯環と、少なくとも３個の第１〜３脚座面に各々封入された縁取り保形芯環とを、その悉く同じ弾性変形可能な細いバネ鋼帯又はバネ鋼線から４隅部が円弧状に弯曲する正方形として、上記ハウス本体を角面取りされた状態のサイコロ型に造形し、
【００１２】
そのハウス本体の第２〜４壁面へ第１〜３脚座面を重合する起立姿勢に折りたたんだ使用状態から、上記縁取り保形芯環を一旦正方形での悉く整列する重合状態に扁平化した上、
【００１３】
その正方形の対角線上に位置する角隅部を両手により把持して、先ずほぼ８字型に捻り変形させた後、引き続き互いに押し込み重合させることにより、
【００１４】
上記ハウス本体と第１〜３脚座面との全体を、その各面の正方形が三重の円形として整列した小型扁平に折りたたみ格納できるように定めたことを特徴とする。
【００１５】
請求項３では同じく上記請求項１に従属する構成として、柔軟な合成繊維網材又は合成繊維膜材から成る筋交用連結帯の平行な一対づつを、遊戯ハウス本体における第２〜４壁面の左右両側辺から各々表向き一体的に張り出し延長させる共に、
【００１６】
その連結帯の延長先端部を上記左右両側辺と向かい合い対応位置する第１〜３脚座面の左右両側辺へ、結束紐や面ファスナー、ハトメホックなどの着脱操作可能な止着具によって、各々止着したことを特徴とする。
【００１７】
請求項４ではやはり請求項１に従属する構成として、遊戯ハウス本体における第１〜４壁面の表面へ、互いに異なる遊戯内容を示す標章を各々印刷する一方、
【００１８】
その少なくとも第２〜４壁面と対応位置する第１〜３脚座面の表裏両面に、上記遊戯内容と同じ遊戯内容を示す標章を各々印刷することにより、
【００１９】
上記ハウス本体の第２〜４壁面から第１〜３脚座面を各々張り出し展開する水平姿勢の接地使用状態に保った時、その第１〜３脚座面における裏面の標章と上記第２〜４壁面における表面の標章とを、各々同じ遊戯内容のそれとして一連に通覧できるように定めたことを特徴とする。
【００２０】
請求項５では上記請求項４に従属する構成として、遊戯ハウス本体の第１壁面に印刷する遊戯内容の標章をバスケットボールゲームのそれとして、そのゲームの投球バスケットを上記第１壁面の上辺から吊り下げ、
【００２１】
上記ハウス本体の第２壁面と第１脚座面に各々印刷する同じ遊戯内容の標章をベースボールゲームのそれとして、そのゲームの投球ストライクゾーンを上記第２壁面にカラー印刷し、
【００２２】
上記ハウス本体の第３壁面と第２脚座面に各々印刷する同じ遊戯内容の標章をサッカーゲームのそれとして、そのゲームの蹴球ゴールを上記第３壁面に開口形成すると共に、
【００２３】
上記ハウス本体の第４壁面と第３脚座面に各々印刷する同じ遊戯内容の標章をゴルフゲームのそれとして、そのゲームの打球ホールを上記第４壁面に開口形成したことを特徴とする。
【００２４】
更に、請求項６では上記請求項５に従属する構成として、遊戯ハウス本体の第１壁面へ、その子供用出入り口の庇となる垂れ幕を取り付け、
【００２５】
同じく第１壁面の上辺から吊り下げられた投球バスケットを、結束紐や面ファスナー、ハトメホックなどの着脱操作可能な止着具によって上記第１壁面へ、その開口面が水平状態となるように止着すると共に、
【００２６】
上記ハウス本体の第３壁面へ、その蹴球ゴールの暖簾となる垂れ幕を取り付けたことを特徴とする。
【考案の効果】
【００２７】
請求項１の上記構成によれば、遊戯ハウス本体が縁取り保形芯環を備えた第１〜４壁面と底面並びに天井面とから、全体的な一連の立方体に造形されており、その任意の第１壁面に子供用出入り口が設けられているため、子供の１人のみならず、その２〜３人でもハウス本体の内部に入って、例えばママゴトや隠れんぼ、その他の遊戯を行なうことができ、その遊戯中の子供を保護者が天井面から透視観察し得るのであり、安全性にも優れる。
【００２８】
又、上記ハウス本体における少なくとも第２〜４壁面の下辺には、その各面とほぼ同じ大きさの正方形として、やはり縁取り保形芯環により造形された別個な第１〜３脚座面が、各々起伏的な回動自在に枢支連結されているため、その第１〜３脚座面を上記第２〜４壁面から各々張り出し展開する水平姿勢の接地使用状態に保つことによって、ハウス本体が不慮に傾斜したり、まして転倒したりするおそれを確実に防止できる効果もある。
【００２９】
特に、請求項２の構成を採用するならば、所謂角面取りされた状態のサイコロ型をなすハウス本体と、これに枢支連結された別個な第１〜３脚座面とが、合計７本の縁取り保形芯環を具備するとしても、その縁取り保形芯環を捻り変形させることにより、当初の正方形から４分の１以下の小型扁平に折りたたむことができ、その不使用時の格納を便利良く行なえる効果がある。
【００３０】
請求項３の構成を採用するならば、上記第１〜３脚座面がハウス本体の第２〜４壁面に対して、いたづらに大きく展開することを規制できるほか、その連結帯の筋交機能によって、ハウス本体が傾斜するおそれをますます完全に防止し得る効果もある。
【００３１】
又、請求項４の構成を採用するならば、子供がハウス本体の内部において上記遊戯を行なえるばかりでなく、そのハウス本体における第１〜４壁面の表面に印刷された標章と、別個な第１〜３脚座面の表裏両面に印刷された標章とを目視して、上記ハウス本体の外部においても合計４種の異なる遊戯を楽しめるのであり、その遊戯上の興趣変化と付加価値の向上を図れる。
【００３２】
その場合、請求項５や請求項６の構成を採用するならば、上記合計４種の遊戯内容をバスケットボールゲームとベースボールゲーム、サッカーゲーム並びにゴルフゲームとして、子供の数人にますますリアルな球技を選択的に楽しませることができ、子供の早期に飽きない遊戯ハウスを得られる効果がある。
【考案を実施するための最良の形態】
【００３３】
以下、図面に基いて本考案の具体的構成を詳述すると、図１と図２、３はその屋内用遊戯ハウスにおける異なる２種の使用状態を例示しており、（１０）は遊戯ハウス本体であって、ポリエステルやナイロンなどの柔軟な合成繊維膜材に縁取り保形芯環（１１）が各々封入された第１〜４壁面（Ａ１）（Ａ２）（Ａ３）（Ａ４）と、これと同じ合成繊維膜材の床面（Ｂ）並びに内部を透視できる合成繊維網材の天井面（Ｃ）とから、全体的な一連の立方体に造形されている。
【００３４】
つまり、ハウス本体（１０）の合計６面となる第１〜４壁面（Ａ１）〜（Ａ４）と床面（Ｂ）並びに天井面（Ｃ）は、悉く同じ大きさの正方形をなし、そのうちの第１〜４壁面（Ａ１）〜（Ａ４）だけには図５〜７に抽出して示す如く、弾性変形可能な縁取り保形芯環（１１）が各面の４辺に沿って封入設置されており、その合成繊維膜材を緊張状態に保っている。
【００３５】
その場合、図示の実施形態では上記縁取り保形芯環（１１）として、無端化された断面長方形（例えば幅：約５mm×厚み：約１mm）の細いバネ鋼帯を採用すると共に、これを第１〜４壁面（Ａ１）〜（Ａ４）の各４辺に沿って折り返した袋部（１２）へ、縫い込み状態に封入しているが、そのバネ鋼帯に代る断面円形のバネ鋼線を採用してもさしつかえない。
【００３６】
（１３）は上記ハウス本体（１０）の正面となる任意な第１壁面（Ａ１）のほぼ中央部に設けられた子供用出入り口であって、１人の子供が通過できる大きさを有する。その出入り口（１３）の真上位置には庇や暖簾となる合成繊維材の垂れ幕（１４）を取り付けても良い。
【００３７】
上記ハウス本体（１０）の立方体は、例えば１辺：約８０cm〜約１００cmの大きさとして、１人の子供であれば、内部を自由に動くことができ、その２〜３人でも入って遊べる程度に定めることが好ましい。何れにしても、ハウス本体（１０）内での遊戯中にある子供を、その保護者が天井面（Ｃ）から透視観察することができ、安心である。
【００３８】
（１５）は上記ハウス本体（１０）の残る背面及び左右両側面となる第２〜４壁面（Ａ２）〜（Ａ４）における上辺近傍部の表面へ、各々並列状態に取り付けられた着脱操作可能な複数づつの止着具であり、図示の実施形態では２個一対づつの面ファスナーとして縫い付けているが、その面ファスナーに代る結束紐やハトメホックなどを採用しても良い。
【００３９】
又、（１６）は同じくハウス本体（１０）の第２〜４壁面（Ａ２）〜（Ａ４）における下辺（１７）の表面へ、やはり並列状態に各々取り付けられた複数づつのベルト通し紐であり、これは後述する第１〜３脚座面の対応的な連結ベルトと相俟って、その第１〜３脚座面を上記ハウス本体（１０）の第２〜４壁面（Ａ２）〜（Ａ４）へ、各々起伏的な回動自在に枢支連結するためのヒンジ（Ｐ）として機能するものである。
【００４０】
他方、（ａ１）（ａ２）（ａ３）は上記ハウス本体（１０）における第１〜４壁面（Ａ１）〜（Ａ４）の各面とほぼ同じ大きさの正方形として、やはりポリエステルやナイロンなどの柔軟な合成繊維膜材に弾性変形可能な縁取り保形芯環（１８）が封入設置された別な３個の第１〜３脚座面であり、茲に縁取り保形芯環（１８）とその第１〜３脚座面（ａ１）（ａ２）（ａ３）の各辺に沿う折り返し袋部（１９）への縫い込み封入状態は、上記第１〜４壁面（Ａ１）〜（Ａ４）側のそれと同一であるため、図５〜７を準用するにとどめて、これらの詳細な説明を省略する。
【００４１】
（２０）は上記ハウス本体（１０）における第２〜４壁面（Ａ２）〜（Ａ４）側のベルト通し紐（１６）と対応位置する複数づつとして、その第１〜３脚座面（ａ１）〜（ａ３）における１辺（下辺）（２１）の裏面へ、やはり並列状態に各々取り付けられた一定長さの連結ベルトであり、その付け根部と先端部には着脱操作可能な面ファスナー（２２）（２３）が付属一体化されてもいる。
【００４２】
そして、その第１〜３脚座面（ａ１）〜（ａ３）側の連結ベルト（２０）を上記第２〜４壁面（Ａ２）〜（Ａ４）側のベルト通し紐（１６）へ各々通し込んで、その先端部を付け根部へ巻き付け固定することにより、その第１〜３脚座面（ａ１）〜（ａ３）の１辺（２１）が上記ハウス本体（１０）における第２〜４壁面（Ａ２）〜（Ａ４）の下辺（１７）へ、各々起伏的な回動自在に枢支連結されている。
【００４３】
但し、図示実施形態との逆に、上記連結ベルト（２０）をハウス本体（１０）の第２〜４壁面（Ａ２）〜（Ａ４）側へ、そのベルト通し紐（１６）を第１〜３脚座面（ａ１）〜（ａ３）側へ、各々対応的に取り付けても良い。又、第１〜３脚座面（ａ１）〜（ａ３）をハウス本体（１０）の第２〜４壁面（Ａ２）〜（Ａ４）へ各々起伏的な回動自在に枢支連結するためのヒンジ（Ｐ）として機能し得る限りでは、上記連結ベルト（２０）とそのベルト通し紐（１６）に代えて、結束紐同士の対応する一対や軽量な合成樹脂製の蝶番などを採用しても良い。
【００４４】
更に、図示実施形態の連結ベルト（２０）はその面ファスナー（２２）（２３）の止着を解いて、ベルト通し紐（１６）から抜き出すことができ、その結果ハウス本体（１０）の第２〜４壁面（Ａ２）〜（Ａ４）から第１〜３脚座面（ａ１）〜（ａ３）を各々取りはずせるようになっているが、その着脱不能なヒンジ（Ｐ）となる構成を採用してもさしつかえない。
【００４５】
（２４）は第１〜３脚座面（ａ１）〜（ａ３）における上辺近傍部の裏面へ、各々並列状態に取り付けられた着脱操作可能な複数づつの止着具であって、上記ハウス本体（１０）における第２〜４壁面（Ａ２）〜（Ａ４）側の止着具（１５）と向かい合い対応位置し、その止着具（１５）（２４）同士を止着させることにより、第１〜３脚座面（ａ１）〜（ａ３）をハウス本体（１０）の第２〜４壁面（Ａ２）〜（Ａ４）へ、各々図１のような重合する起立姿勢の折りたたみ使用状態として維持できるようになっている。
【００４６】
又、その止着具（１５）（２４）同士を取りはずすことによって、同じく第１〜３脚座面（ａ１）〜（ａ３）をハウス本体（１０）の第２〜４壁面（Ａ２）〜（Ａ４）から、図２、３のように各々張り出し展開する水平姿勢の接地使用状態へ変換することもできるようになっている。
【００４７】
そして、このような第１〜３脚座面（ａ１）〜（ａ３）の起伏的な回動操作は、その合計３個の全体のみならず、希望する１個又は２個だけの部分的に行なうことも可能である。尚、上記第１〜３脚座面（ａ１）〜（ａ３）側の止着具（２４）についても、図示実施形態のような面ファスナーに限らず、ハウス本体（１０）における第２〜４壁面（Ａ２）〜（Ａ４）側の止着具（１５）と対応する結束紐やハトメホックなどを採用することができる。
【００４８】
先には、ハウス本体（１０）の第１〜４壁面（Ａ１）〜（Ａ４）と別個な第１〜３脚座面（ａ１）〜（ａ３）とを、その何れも縁取り保形芯環（１１）（１８）の封入設置により、各々正方形に造形する旨として説明したが、図１〜３から示唆されるように、上記第１〜４壁面（Ａ１）〜（Ａ４）の縁取り保形芯環（１１）と第１〜３脚座面（ａ１）〜（ａ３）の縁取り保形芯環（１８）とを、その悉く４隅部が比較的曲率半径の大きな円弧状に弯曲する正方形として、ハウス本体（１０）を特に角面取りされた状態のサイコロ型に造形することが好ましい。（２５）はそのハウス本体（１０）の角隅部に縫い合わされたデルタ型のコーナー補強片であり、これも合成繊維膜材から成る。
【００４９】
そうすれば、正方形な縁取り保形芯環（１１）（１８）の１個を抽出することにより、その折りたたみ操作過程を単純模式化して示した図８（Ｉ）（II）（III)（IV）から明白なように、上記ハウス本体（１０）とその第１〜３脚座面（ａ１）〜（ａ３）との全体を、図１のような第１〜３脚座面（ａ１）〜（ａ３）がハウス本体（１０）の第２〜４壁面（Ａ２）〜（Ａ４）へ重合した起立姿勢の折りたたみ使用状態から、一旦その縁取り保形芯環（１１）（１８）を図８（Ｉ）のような悉く整列する重合状態に扁平化する。
【００５０】
それから、上記縁取り保形芯環（１１）（１８）の対角線上に位置する角隅部（Ｘ）を両手で把持し乍ら、先ず図８（II）のようなほぼ８字型に捻り変形させた後、引き続きその縁取り保形芯環（１１）（１８）における１辺の中間部（Ｍ）を図８(III) のように、相反する方向（Ｆ）から押し込み重合させることにより、小さな円形の三重に整列した扁平状態として折りたたむことができるからである。
【００５１】
茲に、図８（IV）のような重合状態として折りたたみ扁平化された円形の大きさは、その縁取り保形芯環（１１）（１８）の合計７本あるとしても、当初の正方形と比較して、その４分の１以下の小型となる結果、本考案に係る遊戯ハウスの不使用時、これを屋内の角隅部や屋内壁面と家具との狭隘空間などへ、便利良く凭れ掛ける如く格納できることになる。
【００５２】
何れにしても、図３と対応する図９の変形実施形態に示す如く、上記柔軟な合成繊維膜材又は合成繊維膜材から成る連結帯（２６）の平行な一対づつを、上記ハウス本体（１０）における第２〜４壁面（Ａ２）〜（Ａ４）の左右両側辺（隣り合う垂直な境界辺）（２７）から各々表向き一体的に張り出し延長させて、その連結帯（２６）の延長先端部を上記第１〜３脚座面（ａ１）〜（ａ３）の対応位置する左右両側辺（２８）へ、結束紐や面ファスナー、ハトメホックなどの着脱操作可能な止着具（２９）（３０）によって各々止着することができる。
【００５３】
そうすれば、その平行な一対づつの連結帯（２６）が上記第２〜４壁面（Ａ２）〜（Ａ４）と第１〜３脚座面（ａ１）〜（ａ３）との筋交になるため、その第１〜３脚座面（ａ１）〜（ａ３）がハウス本体（１０）の第２〜４壁面（Ａ２）〜（Ａ４）に対して、いたづらに大きく展開することを規制することができ、併せてハウス本体（１０）が使用中に傾斜するおそれも防止し得る利点がある。
【００５４】
上記ハウス本体（１０）の正面となる第１壁面（Ａ１）には、子供用出入り口（１３）が開口形成されているため、ここから子供の１人や数人が内部へ出入りして、所謂ママゴトや隠れんぼ、その他の各種遊戯を行なえ、その状況を保護者が天井面（Ｃ）を通じて透視観察することができるが、更にハウス本体（１０）の外部からボールやその打球用具（図示省略）を使った各種ゲームも楽しめように、幼児が外部から見える第１〜４壁面（Ａ１）〜（Ａ４）の表面と、その第２〜４壁面（Ａ２）〜（Ａ４）に枢支連結された対応的な上記第１〜３脚座面（ａ１）〜（ａ３）の表裏両面には、次のような各種遊戯内容を示す標章が各々印刷されている。
【００５５】
茲に、「標章」とは文字、図形若しくは記号又はこれらと色彩との結合を意味しており、その図形としては子供の興味を惹きやすい各種の漫画やキャラクターを採用し、これをカラー印刷することが望ましい。
【００５６】
即ち、先ずハウス本体（１０）を形作る第１壁面（Ａ１）の表面には、図１０のようなバスケットボールゲームを遊戯内容とするコート風景の標章（３１）が印刷されている。（３２）はその第１壁面（Ａ１）の上辺（３３）から左右一対の結束紐（３４）を介して吊り下げられた投球バスケット、（３５）（３６）はその投球バスケット（３２）の開口面を水平状態に保つための着脱操作可能な止着具であり、好ましくは図１１のような面ファスナーとして、第１壁面（Ａ１）へ着脱自在に止着されるようになっている。
【００５７】
次に、上記ハウス本体（１０）を形作る第２壁面（Ａ２）の表面と、これと枢支連結された対応的な第１脚座面（ａ１）の表裏両面には、図１２〜１４のようなすべて同じベースボールゲームを遊戯内容とするグランド風景の標章（３７）（３８）（３９）が各々印刷されており、第１脚座面（ａ１）を上記第２壁面（Ａ２）から張り出し展開する水平姿勢の接地使用状態に保った時、その第１脚座面（ａ１）の裏面に印刷された標章（３９）と第２壁面（Ａ２）の表面に印刷された標章（３７）とを一連の全体として、通覧・展望できるようになっている。
【００５８】
（４０）は上記第１脚座面（ａ１）の表面中央部にカラー印刷された投球ストライクゾーンであり、子供がここを目指して投球できるようになっている。
【００５９】
又、上記ハウス本体（１０）を形作る第３壁面（Ａ３）の表面と、これと枢支連結された第２脚座面（ａ２）の表裏両面には、図１５〜１７のようなすべて同じサッカーゲームを遊戯内容とするピッチ風景の標章（４１）（４２）（４３）が各々印刷されており、その第２脚座面（ａ２）を上記第３壁面（Ａ３）から張り出し展開する水平姿勢の接地使用状態に保った時、その第２脚座面（ａ２）における裏面の標章（４３）と第３壁面（Ａ３）における表面の標章（４１）とをやはり一連の全体として、通覧・展望できるようになっている。
【００６０】
（４４）は上記第３壁面（Ａ３）に開口形成された蹴球ゴールであり、子供がここを目指して蹴球できるようになっている。その蹴球ゴール（４４）の暖簾となる垂れ幕（４５）を、上記第３壁面（Ａ３）の表面へ取り付けるならば、その遊戯上の興趣変化を昂めることができる。
【００６１】
更に、上記ハウス本体（１０）を形作る第４壁面（Ａ４）の表面と、これと枢支連結された第３脚座面（ａ３）の表裏両面には、図１８〜２０のような悉く同じゴルフゲームを遊戯内容とするコース風景の標章（４６）（４７）（４８）が印刷されており、その第３脚座面（ａ３）を上記第４壁面（Ａ４）から張り出し展開する水平姿勢の接地使用状態に維持した時、その第３脚座面（ａ３）における裏面の標章（４８）と第４壁面（Ａ４）における表面の標章（４６）とをやはり一連の全体として、広く通覧・展望できるようになっている。
【００６２】
（４９）は上記第４壁面（Ａ４）のほぼ中央下端部に開口形成された打球ホールであり、子供がここを目指して打球し、楽しく遊戯できるようになっている。
【００６３】
上記のような互いに異なる合計４種の遊戯内容を示す標章が、ハウス本体（１０）の第１〜４壁面（Ａ１）〜（Ａ４）と、その第２〜４壁面（Ａ２）〜（Ａ４）と対応する別個な第１〜３脚座面（ａ１）〜（ａ３）に各々印刷されているため、本考案の遊戯ハウスを有効に活用して、興趣変化に富む各種ゲームも楽しませることができ、子供を内部で遊ぶだけに飽きさせることなく、極力永く使える付加価値の高い遊戯ハウスを得られるのである。
【００６４】
その場合、互いに異なる遊戯内容を示す標章は、上記第１〜３脚座面（ａ１）〜（ａ３）の表裏両面に印刷されているため、これを図１のようなハウス本体（１０）の第２〜４壁面（Ａ２）〜（Ａ４）へ、重合する起立姿勢として折りたたんだ使用状態においても、その標章を外部から目視できることは勿論であり、この際にも正面となる第１壁面（Ａ１）の子供用出入り口（１３）は、依然として開口状態に保たれる結果、子供がハウス本体（１０）の内部に入って遊戯することができる。
【００６５】
但し、図２１の別な変形実施形態に示す如く、上記ハウス本体（１０）を形作る第１壁面（Ａ１）の下辺（５０）にも、上記第１〜３脚座面（ａ１）〜（ａ３）と同じ構成の第４脚座面（ａ４）を、やはり起伏的な回動自在に枢支連結すると共に、その表裏両面へ上記第１壁面（Ａ１）と同じバスケットボールゲームを遊戯内容とするコート風景の標章（図示省略）を、印刷しておくことができる。
【００６６】
その第４脚座面（ａ４）を上記第１壁面（Ａ１）の下辺（５０）から張り出し展開した水平姿勢の接地状態において、子供が支障なく遊戯し得るからである。尚、図９、２１の変形実施形態におけるその他の構成は、図１〜３のそれと実質的に同一であるため、その図９、２１に図１〜３との対応符号を記入するにとどめて、その詳細な説明を省略する。
【図面の簡単な説明】
【００６７】
【図１】本考案に係るテント風の屋内用遊戯ハウスを示す斜面図である。
【図２】図１のハウス本体から第１〜３脚座面を展開した接地使用状態の斜面図である。
【図３】図２の異なる方向から見た斜面図である。
【図４】図３の４−４線断面図である。
【図５】ハウス本体と各脚座面とのヒンジ部分を抽出して示す拡大斜面図である。
【図６】各脚座面を裏側から見た平面図である。
【図７】図６の７−７線拡大断面図である。
【図８】遊戯ハウスの全体的な折りたたみ操作過程を示す説明図である。
【図９】図３に対応する変形実施形態を示す斜面図である。
【図１０】第１壁面に対する標章の印刷状態を示す表面図である。
【図１１】投球バスケットの取付状態を示す図１０の部分拡大側面図である。
【図１２】第２壁面に対する標章の印刷状態を示す表面図である。
【図１３】第１脚座面に対する標章の印刷状態を示す裏面図である。
【図１４】第１脚座面に対する標章の印刷状態を示す表面図である。
【図１５】第３壁面に対する標章の印刷状態を示す表面図である。
【図１６】第２脚座面に対する標章の印刷状態を示す裏面図である。
【図１７】第２脚座面に対する標章の印刷状態を示す表面図である。
【図１８】第４壁面に対する標章の印刷状態を示す表面図である。
【図１９】第３脚座面に対する標章の印刷状態を示す裏面図である。
【図２０】第３脚座面に対する標章の印刷状態を示す表面図である。
【図２１】図３に対応する別な変形実施形態を示す斜面図である。
【符号の説明】
【００６８】
（１０）・遊戯ハウス本体
（１１）（１８）・縁取り保形芯環
（１２）（１９）・縫い込み袋部
（１３）・子供用出入り口
（１４）・垂れ幕
（１５）・止着具
（１６）・ベルト通し紐
（１７）・第２〜４壁面の下辺
（２０）・連結ベルト
（２１）・第１〜３脚座面の一辺
（２２）（２３）・面ファスナー
（２４）・止着具
（２５）・コーナー補強片
（２６）・連結帯
（２７）（２８）・左右両側辺
（２９）（３０）・止着具
（３１）・バスケットボールゲームの標章
（３２）・投球バスケット
（３３）・第１壁面の上辺
（３４）・結束紐
（３５）（３６）・止着具
（３７）（３８）（３９）・ベースボールゲームの標章
（４０）・ストライクゾーン
（４１）（４２）（４３）・サッカーゲームの標章
（４４）・蹴球ゴール
（４５）・垂れ幕
（４６）（４７）（４８）・ゴルフゲームの標章
（４９）・打球ホール
（５０）・第１壁面の下辺
（Ａ１）・第１壁面
（Ａ２）・第２壁面
（Ａ３）・第３壁面
（Ａ４）・第４壁面
（ａ１）・第１脚座面
（ａ２）・第２脚座面
（ａ３）・第３脚座面
（ａ４）・第４脚座面
（Ｂ）・床面
（Ｃ）・天井面
（Ｐ）・ヒンジ
（Ｍ）・中間部
（Ｘ）・角隅部
（Ｆ）・押し込み方向
【図１】
0003135023.tif 000003
【図２】
0003135023.tif 000004
【図３】
0003135023.tif 000005
【図４】
0003135023.tif 000006
【図５】
0003135023.tif 000007
【図６】
0003135023.tif 000008
【図７】
0003135023.tif 000009
【図８】
0003135023.tif 000010
【図９】
0003135023.tif 000011
【図１０】
0003135023.tif 000012
【図１１】
0003135023.tif 000013
【図１２】
0003135023.tif 000014
【図１３】
0003135023.tif 000015
【図１４】
0003135023.tif 000016
【図１５】
0003135023.tif 000017
【図１６】
0003135023.tif 000018
【図１７】
0003135023.tif 000019
【図１８】
0003135023.tif 000020
【図１９】
0003135023.tif 000021
【図２０】
0003135023.tif 000022
【図２１】
0003135023.tif 000023